(57)【要約】【課題】同乗者の有無に応じて一覧表示する目的地のジャンルを取捨選択、又はジャンルの配列順序を変更することができ、同乗者の有無に応じた利便性の高いジャンル一覧を表示することができるカーナビゲーション装置を提供する。【解決手段】目的地の種別を一覧表示して目的地の検索及び目的地への経路案内を実行するカーナビゲーション装置１に、ジャンル一覧における各ジャンルの配列方法、例えば配列順序又は配列の要否等を示すジャンル配列情報を複数記憶した記憶装置７０と、同乗者の有無を示す同乗者信号を取得する入力インタフェース８１と、入力インタフェース８１が取得した同乗者信号が示す同乗者の有無に応じて記憶装置７０が記憶している一のジャンル配列情報を選択し、選択したジャンル配列情報に基づいてジャンルを配列したジャンル一覧を生成する制御部９０とを備える。【選択図】図１
2008241348.tif 000002
【特許請求の範囲】
【請求項１】
経路を案内するカーナビゲーション装置が目的地の種別を一覧表示して目的地を検索する目的地検索方法において、
一覧における各種別の配列方法を示す種別配列情報を複数用意しておき、
同乗者の有無を示す同乗者信号を取得するステップと、
取得した同乗者信号が示す同乗者の有無に応じて、異なる種別配列情報を選択するステップと、
選択された種別配列情報に基づいて各種別を配列した一覧を生成するステップと、
生成された一覧を表示するステップと
を含むことを特徴とする目的地検索方法。
【請求項２】
目的地の種別を一覧表示して目的地の検索及び経路案内を実行するカーナビゲーション装置において、
一覧における各種別の配列方法を示す種別配列情報を複数記憶した記憶手段と、
同乗者の有無を示す同乗者信号を取得する取得手段と、
取得した同乗者信号が示す同乗者の有無に応じて、異なる種別配列情報を選択する選択手段と、
該選択手段が選択した種別配列情報に基づいて各種別を配列した一覧を生成する一覧生成手段と、
該一覧生成手段が生成した種別の一覧を表示する手段と
を備えることを特徴とするカーナビゲーション装置。
【請求項３】
同乗者の重量を示す重量信号を取得するように構成してあり、
前記選択手段は、
取得した同乗者信号が示す同乗者の有無及び重量信号が示す重量に応じて、異なる種別配列情報を選択するように構成してある
ことを特徴とする請求項２に記載のカーナビゲーション装置。
【請求項４】
同乗者の有無及び人数を示す同乗者信号を取得するように構成してあり、
前記選択手段は、
取得した同乗者信号が示す同乗者の有無及び人数に応じて、異なる種別配列情報を選択するように構成してある
ことを特徴とする請求項２又は請求項３に記載のカーナビゲーション装置。
【請求項５】
目的地の検索方法を一覧表示して目的地の検索及び経路案内を実行するカーナビゲーション装置において、
一覧における各検索方法の配列方法を示す検索方法配列情報を記憶した記憶手段と、
同乗者の有無を示す同乗者信号を取得する取得手段と
取得した同乗者信号が示す同乗者の有無に応じて、異なる検索方法配列情報を選択する選択手段と、
該選択手段が選択した検索方法配列情報に基づいて各検索方法を配列した一覧を生成する一覧生成手段と、
該一覧生成手段が生成した検索方法の一覧を表示する手段と
を備えることを特徴とするカーナビゲーション装置。
【請求項６】
目的地の種別を一覧表示して目的地の検索及び経路案内を実行するカーナビゲーション装置に実装されており、一覧における各種別の配列方法を示す種別配列情報を複数記憶したコンピュータに、
同乗者の有無に応じて、異なる種別配列情報を選択するステップと、
選択された種別配列情報に基づいて各種別を配列した一覧を生成するステップと
を実行させることを特徴とするコンピュータプログラム。
【発明の詳細な説明】
【技術分野】
【０００１】
本発明は、経路を案内するカーナビゲーション装置が目的地の種別を一覧表示して目的地を検索する目的地検索方法、該目的地検索方法を実施するカーナビゲーション装置、該カーナビゲーション装置の機能を実現するためのコンピュータプログラムに関する。
【背景技術】
【０００２】
従来のカーナビゲーション装置においては、目的地検索を容易にすべく、ジャンルによる検索、電話番号による検索、予め登録した登録地点の検索、住所による検索、又は、名称による検索等が可能となっている。図１９は従来のカーナビゲーション装置における検索方法のイメージを示す説明図である。図１９Ａは検索における第１段階、図１９Ｂは第２段階、図１９Ｃは第３段階、図１９Ｄは第４段階をそれぞれ示すものであり、ユーザが複数の各種ボタンを順次選択することにより、徐々に検索対象が絞り込まれる。
【０００３】
図１９Ａに示すように、目的地ボタンを操作した直後の第１段階では「ジャンル検索」、「電話番号検索」、「登録地点検索」、「住所検索」及び「名称検索」等の検索方法が一覧表示される。ここで、例えば「ジャンル検索」が選択された場合、図１９Ｂに示す第２段階の情報が表示される。第２段階においては「ガソリンスタンド」、「お店」等のジャンルが一覧表示される。ここで、「お店」を選択した場合、更に検索対象が絞り込まれ図１９Ｃに示す第３段階の情報が表示される。第３段階においては「コンビニエンスストア」、「スーパー」又は「デパート」等のお店に関する情報が表示される。
【０００４】
更にここで、「デパート」を選択した場合、図１９Ｄに示す第４段階へ移行する。第４段階においては、「Ａデパート」、「Ｂデパート」等が一覧表示される。また「Ａデパート」乃至「Ｅデパート」の各ボタンの横側には、「詳細」ボタンが併せて表示される。ここで、ユーザがタッチパネルを通じて「詳細」ボタンを選択した場合、各デパートの詳細をユーザに紹介するための文章を含む詳細情報が表示される。例えばＡデパートへのアクセス方法、営業日時、駐車場の情報、デパート内の店舗の案内等を記述した詳細情報が表示される。ユーザは、第４段階で表示された各デパートの詳細情報を見比べ、目的地となる一のデパートを選択する。ここで、例えば「Ａデパート」が選択された場合、最終的な検索結果である「Ａデパート」の地図が表示され、目的地として設定される。
【０００５】
一方、設定された目的地、例えばコンビニエンスストアが走行エリア内に多数ある場合、ディスプレイ表示された地図上に数十の目的地がマークされることがある。数十の目的地がマークされると、ユーザはいずれの目的地が最も希望に合致したお店であるかを迅速に判断できないという問題があった。特許文献１には、目的地に優先順位を付して表示することにより、運転者の希望に合致した目的地を簡単かつ迅速に選択できるカーナビゲーション装置が提案されている。優先順位の条件は、運転者が適宜設定することができ、例えば走行位置からの距離、営業時間等を設定する。
【特許文献１】特開平８−１８４４５５号公報
【発明の開示】
【発明が解決しようとする課題】
【０００６】
しかしながら、従来のジャンル検索においては、同乗者の有無に関わりなく、同一のジャンルが同一配列順序で一覧表示されるため、同乗者が居る場合には表示したくないジャンル、表示する必要が無いジャンル等が表示され、ユーザの利便性が損なわれる場合があった。
また、特許文献１に記載のカーナビゲーション装置は、目的地に優先順位を付すことができるが、同乗者の有無等に応じて表示するジャンルを変更することはできず、上記問題点を解決することができない。
【０００７】
本発明は斯かる事情に鑑みてなされたものであり、一覧における各種別の配列方法、例えば各種別の配列順序、各種別の配列の要否等を示す種別配列情報を複数用意しておき、同乗者の有無に応じて異なる種別配列情報を選択し、該種別配列情報に基づいて各種別を配列した一覧を生成及び表示することにより、同乗者の有無に応じて一覧表示する種別の配列方法を変更、例えば種別を取捨選択、又は種別の配列順序を変更することができ、同乗者の有無に応じた利便性の高い種別一覧を表示することができる目的地検索方法、カーナビゲーション装置及び該カーナビゲーション装置の機能を実現するためのコンピュータプログラムを提供することを目的とする。
【０００８】
本発明の他の目的は、同乗者の重量に応じて異なる種別配列情報を選択するように構成することにより、同乗者の有無及び大人であるか子供であるかに応じて一覧表示する種別の配列方法を変更することができ、利便性の高い種別一覧を表示することができるカーナビゲーション装置を提供することにある。
【０００９】
本発明の他の目的は、同乗者の人数に応じて異なる種別配列情報を選択するように構成することにより、同乗者の有無及び大人であるか子供であるかに応じて一覧表示する種別の配列方法を変更することができ、利便性の高い種別一覧を表示することができるカーナビゲーション装置を提供することにある。
【００１０】
本発明の他の目的は、一覧における各検索方法の配列順序又は配列の要否等を示す検索方法配列情報を複数記憶しておき、同乗者の有無に応じて異なる検索方法配列情報を選択し、該検索方法配列情報に基づいて各検索方法を配列した一覧を生成及び表示するように構成することにより、同乗者の有無に応じて一覧表示する検索方法の配列方法を変更、例えば検索方法を取捨選択、又は検索方法の配列順序を変更することができ、同乗者の有無に応じた利便性の高い検索方法一覧を表示することができるカーナビゲーション装置を提供することにある。
【課題を解決するための手段】
【００１１】
第１発明に係る目的地検索方法は、経路を案内するカーナビゲーション装置が目的地の種別を一覧表示して目的地を検索する目的地検索方法において、一覧における各種別の配列方法を示す種別配列情報を複数用意しておき、同乗者の有無を示す同乗者信号を取得するステップと、取得した同乗者信号が示す同乗者の有無に応じて、異なる種別配列情報を選択するステップと、選択された種別配列情報に基づいて各種別を配列した一覧を生成するステップと、生成された一覧を表示するステップとを含むことを特徴とする。
【００１２】
第２発明に係るカーナビゲーション装置は、目的地の種別を一覧表示して目的地の検索及び経路案内を実行するカーナビゲーション装置において、一覧における各種別の配列方法を示す種別配列情報を複数記憶した記憶手段と、同乗者の有無を示す同乗者信号を取得する取得手段と、取得した同乗者信号が示す同乗者の有無に応じて、異なる種別配列情報を選択する選択手段と、該選択手段が選択した種別配列情報に基づいて各種別を配列した一覧を生成する一覧生成手段と、該一覧生成手段が生成した種別の一覧を表示する手段とを備えることを特徴とする。
【００１３】
第３発明に係るカーナビゲーション装置は、同乗者の重量を示す重量信号を取得するように構成してあり、前記選択手段は、取得した同乗者信号が示す同乗者の有無及び重量信号が示す重量に応じて、異なる種別配列情報を選択するように構成してあることを特徴とする。
【００１４】
第４発明に係るカーナビゲーション装置は、同乗者の有無及び人数を示す同乗者信号を取得するように構成してあり、前記選択手段は、取得した同乗者信号が示す同乗者の有無及び人数に応じて、異なる種別配列情報を選択するように構成してあることを特徴とする。
【００１５】
第５発明に係るカーナビゲーション装置は、目的地の検索方法を一覧表示して目的地の検索及び経路案内を実行するカーナビゲーション装置において、一覧における各検索方法の配列方法を示す検索方法配列情報を記憶した記憶手段と、同乗者の有無を示す同乗者信号を取得する取得手段と取得した同乗者信号が示す同乗者の有無に応じて、異なる検索方法配列情報を選択する選択手段と、該選択手段が選択した検索方法配列情報に基づいて各検索方法を配列した一覧を生成する一覧生成手段と、該一覧生成手段が生成した検索方法の一覧を表示する手段とを備えることを特徴とする。
【００１６】
第６発明に係るコンピュータプログラムは、目的地の種別を一覧表示して目的地の検索及び経路案内を実行するカーナビゲーション装置に実装されており、一覧における各種別の配列方法を示す種別配列情報を複数記憶したコンピュータに、同乗者の有無に応じて、異なる種別配列情報を選択するステップと、選択された種別配列情報に基づいて各種別を配列した一覧を生成するステップとを実行させることを特徴とする。
【００１７】
第１発明、第２発明及び第６発明にあっては、記憶手段が異なる複数の種別配列情報を記憶している。複数の種別配列情報は、例えば同乗者の有無に応じて一覧表示する種別を取捨選択し、同乗者の有無に応じた特定の順序で配列するための情報である。
選択手段は、取得手段にて取得した同乗者信号が示す同乗者の有無に応じて異なる種別配列情報を選択する。そして、一覧生成手段は、選択手段が選択した種別配列情報に基づいて各種別を配列した一覧を生成し、カーナビゲーション装置は同乗者の有無に応じて生成された一覧を表示する。従って、同乗者の有無に応じた異なる種別一覧を表示することができる。
なお、配列方法は、種別の配列順序、取捨選択のみならず、配列箇所、種別を表示する文字の大小等を示す情報を含んでも良い。
また、目的地の種別は、例えばジャンル検索における公共施設、お店、観光スポット等を意味しているが、目的地を分類することができる他の種別も含まれる。例えば、営業時間、予算、来客数等で分類するように構成しても良い。
【００１８】
第３発明にあっては、選択手段は、同乗者信号が示す同乗者の有無と、同乗者の重量を検出する重量検出手段の検出結果とに応じて異なる種別配列情報を選択する。
従って、カーナビゲーション装置は、同乗者の有無及び大人、子供の別に応じて、同乗者が無い場合を想定した一覧、大人の同乗者を想定した一覧、子供の同乗者を想定した一覧を表示することができる。
【００１９】
第４発明にあっては、選択手段は、同乗者信号が示す同乗者の有無及び同乗者の人数に応じて異なる種別配列情報を選択する。
従って、カーナビゲーション装置は、同乗者の有無及び同乗者の人数に応じて、同乗者が無い場合を想定した一覧、一人の同乗者を想定した一覧、複数の同乗者を想定した一覧を表示することができる。
【００２０】
第５発明にあっては、記憶手段が異なる複数の検索方法配列情報を記憶している。複数の検索方法配列情報は、例えば同乗者の有無に応じて一覧表示する検索方法を取捨選択し、同乗者の有無に応じた特定の順序で配列するための情報である。選択手段は、取得手段にて取得した同乗者信号が示す同乗者の有無に応じて異なる検索方法配列情報を選択する。そして、一覧生成手段は、選択手段が選択した検索方法配列情報に基づいて各検索方法を配列した一覧を生成し、カーナビゲーション装置は同乗者の有無に応じて生成された一覧を表示する。従って、同乗者の有無に応じた異なる検索方法一覧を表示することができる。
【発明の効果】
【００２１】
第１発明、第２発明及び第６発明によれば、同乗者の有無に応じて一覧表示する種別の配列方法を変更、例えば一覧表示する種別を取捨選択、又は種別の配列順序を変更することができ、同乗者の有無に応じた利便性の高い種別一覧を表示することができる。
【００２２】
第３発明によれば、同乗者の有無及び大人であるか子供であるかに応じて一覧表示する種別の配列方法を変更することができ、利便性の高い種別一覧を表示することができる。
【００２３】
第４発明によれば、同乗者の有無及び同乗者が複数であるか否かに応じて一覧表示する種別の配列方法を変更することができ、利便性の高い種別一覧を表示することができる。
【００２４】
第５発明によれば、同乗者の有無に応じて一覧表示する検索方法の配列方法を変更、例えば検索方法を取捨選択、又は検索方法の配列順序を変更することができ、同乗者の有無に応じた利便性の高い検索方法一覧を表示することができる。
【発明を実施するための最良の形態】
【００２５】
以下本発明の実施の形態を、図面を参照して説明する。
（実施の形態１）
図１は、本発明の実施の形態１に係るカーナビゲーション装置１のハードウェア構成を示すブロック図である。本発明の実施の形態１に係る目的地検索方法を実施するカーナビゲーション装置１は、ＧＰＳ受信機１０、自立航法用センサ１１、ＶＩＣＳ・ＦＭ多重レシーバ１２、操作パネル２０、音声入力部２１、リモコン２２、入力インタフェース２３、通信制御部３０、地図データ等を記憶する記憶装置７０、音声出力部４０、スピーカ４１、時計部６３、表示制御部５０、ディスプレイ５１、プログラムメモリ６０、データメモリ６１、外部メモリ６２、助手席用同乗者検出部８０、入力インタフェース８１及び各部を制御する制御部９０を含んで構成される。
【００２６】
ＧＰＳ受信機１０は、人工衛星（ＧＰＳ衛星）からの電波を受信し車両の現在位置と現在方位を測定する。測定された位置情報は、車両の緯度、経度、及び標高についてのデータを含む。自立航法用センサ１１は、車両の移動距離を検出する車速センサや車両の回転角度を検出する角度センサを含む。ＧＰＳ受信機１０及び自立航法用センサ１１の出力信号は、制御部９０に供給され、制御部９０はこれらの出力信号に基づき車両の現在位置及び方位を算出する。
【００２７】
ＶＩＣＳ・ＦＭ多重レシーバ１２は、アンテナ１３を介して車両外部の現在の道路交通情報を逐次受信する。ＶＩＣＳは、道路交通情報をリアルタイムで提供するもので、ＦＭ多重（文字放送）、電波ビーコン、光ビーコンにより情報を送信する。
【００２８】
操作パネル２０、音声入力部２１及びリモコン２２は、カーナビゲーション装置１の入力部を構成する。ユーザは、これらの入力部を介してカーナビゲーション装置１に対して目的地の検索、目的地までの経路の探索、ディスプレイ５１画面の設定変更等の各種の指示や設定を与える。操作パネル２０は、例えば、ディスプレイ５１の下部に設けられた複数の操作キー５２を用いることができる。音声入力部２１は、図示されない音声入力マイクからユーザの音声入力を入力インタフェース２３へ伝達し、ここで音声アナログ信号をデジタル信号に変換する。
【００２９】
リモコン２２は複数の入力キーを含み、ユーザが入力キーを操作したとき、その入力操作を、無線を介して入力インタフェース２３へ伝達する。入力インタフェース２３は、操作パネル２０、音声入力部２１、リモコン２２に接続され、ユーザにより入力された入力情報を制御部９０に伝える。時計部６３は現在の日時を制御部９０に出力する。
【００３０】
助手席用同乗者検出部８０は、例えばシートベルトの着脱を検出するセンサを備えている。助手席用同乗者検出部８０は、シートベルトバックルにシートベルトタングが差し込まれている場合、同乗者があることを示す同乗者信号、例えばハイレベルの信号を入力インタフェース８１を介して制御部９０に与え、シートベルトバックルからシートベルトタングが外れている場合、同乗者が無いことを示す同乗者信号、例えばローレベルの信号を入力インタフェース８１を介して制御部９０に与える。
【００３１】
データベースとしての記憶装置７０は、ハードディスクドライブ（ＨＤＤ）、ＤＶＤ、ＣＤ−ＲＯＭ等の記録媒体であり、カーナビゲーション装置１に必要とされる地図データ、住所、電話番号、施設、及び施設の紹介情報（以下、詳細情報という）等を記憶している。記憶装置７０内部には、詳細情報データベース（以下、ＤＢという）７１、地図ＤＢ７２、電話番号ＤＢ７３及び住所ＤＢ７４、並びに検索方法配列テーブル７５及びジャンル配列テーブル７６等を格納している。また、記憶装置７０は、後述する検索方法一覧、ジャンル一覧を構成する各種画像部品を記憶している。なお、これらのＤＢは説明を容易にするために別々のＤＢに各種データを記憶させているが、一のデータベースで一括してデータを記憶させるなど、適宜設計に応じたデータの持ち方とすれば良い。
【００３２】
図２は、検索方法配列テーブル７５のレコードレイアウトを示す説明図である。検索方法配列テーブル７５は、同乗者の有無に応じて一覧表示する検索方法を取捨選択し、特定の順序で配列するための情報である。例えば、検索方法番号と、一の検索方法と、同乗者が無い場合における前記検索方法の配列の要否又は配列順序（検索方法配列情報）と、同乗者がある場合における前記検索方法の配列の要否又は配列順序（検索方法配列情報）とを対応付けたテーブルである。
以下、同乗者が無い場合における検索方法の配列の要否又は配列順序を示す情報を運転者用検索方法配列情報、同乗者がある場合における検索方法の配列の要否又は配列順序を示す情報を同乗者用検索方法配列情報という。
【００３３】
より具体的には、検索方法番号１に対して、一の検索方法である「ジャンル検索」と、同乗者が無い場合の配列順序１と、同乗者がある場合の配列順序３とが対応付けられている。また、検索方法番号２に対して、「周辺検索」と、同乗者が無い場合の配列順序２と、同乗者がある場合、配列が不要であることを示す記号「×」とが対応付けられている。他の検索方法番号３，４，５，６に対しても、同様にして検索方法と、同乗者の有無に応じた配列の要否又は順序とが対応付けられている。
なお、説明の便宜のため「×」記号を使用しているが、検索方法配列情報は、配列が不要である旨を示す情報を「０」記号、又はＮＵＬＬ記号等を用いて保持している。また、図２に示すデータ構造は一例であり、同乗者の有無に応じた各検索方法の配列方法を規定することができる情報であれば、他のデータ構造を採用しても良い。例えば検索方法番号と同乗者が無い場合の配列情報とを対応付けた検索方法配列情報と、検索方法番号と同乗者がある場合の配列情報とを対応付けた検索方法配列情報とを別に記憶しておき、ジャンル番号にて関連付けるように構成しても良い。
【００３４】
図３は、ジャンル配列テーブル７６のレコードレイアウトを示す説明図である。ジャンル配列テーブル７６は、同乗者の有無に応じて一覧表示する目的地のジャンルを取捨選択し、特定の順序で配列するための情報である。例えば、ジャンル配列テーブル７６は、ジャンル番号と、一のジャンルと、同乗者が無い場合における前記ジャンルの配列の要否又は配列順序（種別配列情報）と、同乗者がある場合における前記ジャンルの配列の要否又は配列順序（種別配列情報）とを対応付けたテーブルである。以下、同乗者が無い場合におけるジャンルの配列の要否又は配列順序を示す情報を運転者用ジャンル配列情報、同乗者がある場合における前記ジャンルの配列の要否又は配列順序を示す情報を助手席用ジャンル配列情報という。
より具体的には、ジャンル番号１と、一のジャンルである「ガソリンスタンド」と、同乗者が無い場合の配列順序１と、同乗者がある場合の配列順序４とが対応付けられている。また、ジャンル番号４に対して、他のジャンルである「風俗店」と、同乗者が無い場合の配列順序４と、同乗者がある場合、配列が不要であることを示す記号「×」とが対応付けられている。他のジャンル番号２，３，５，６，・・・，１０に対しても、同様にしてジャンルと、同乗者の有無に応じた配列の要否又は順序とが対応付けられている。
【００３５】
詳細情報ＤＢ７１には、駅、空港、ガソリンスタンド、ホテル、役所、名所・旧跡、病院等の施設に対応付けて各施設の詳細をユーザに紹介するための文章を含む詳細情報が記憶されている。詳細情報ＤＢ７１は施設ＩＤフィールド、施設フィールド及び詳細情報フィールドを含んで構成される。施設ＩＤフィールドには施設を特定するための固有のＩＤが記憶されており、施設フィールドにはＩＤに対応付けて施設の名称が記憶されている。詳細情報フィールドには施設ＩＤ及び施設に対応付けて詳細情報が記憶されている。
【００３６】
地図ＤＢ７２には、地図データが記憶されており、これには地図上に施設等を描画するための描画データ及び道路データ等が含まれ、道路データには、リンク情報とリンクに接続されるノード情報が含まれる。リンク情報には、リンクの位置情報を初めとする道幅、距離、道路種別等の情報が含まれる。ノード情報には、交差点の位置、種別、交差点のレーン情報等が含まれる。電話番号ＤＢ７３には施設ＩＤに対応付けて施設の電話番号が記憶されている。また、住所ＤＢ７４には施設ＩＤに対応付けて施設の住所が記憶されている。
【００３７】
通信制御部３０は、無線によりデータの送受信を行う。通信制御部３０は、データの送受信を行う通信装置をカーナビゲーション装置１に内蔵するものであっても良いし、携帯電話機や通信機能を有する電子装置をカーナビゲーション装置１に外付けするものであっても良い。通信制御部３０は、外部のサーバ等とネットワークを介して通信を行い、例えばＡＴＩＳ等の交通情報センタと、道路交通情報に関するデータの送受信を行うことで、リアルタイムの動的な情報を逐次得ることができる。更に、所定のサーバから、最新の道路データ、地図データ、施設データ、最新の楽曲データをダウンロードし、記憶装置７０の内容を更新することができる。また、通信制御部３０は、携帯電話機などに対して、カーナビゲーション装置１が保有している施設、レストランなどの娯楽情報や道路交通情報を与えることも可能である。
【００３８】
音声出力部４０はスピーカ４１を含み、制御部９０の制御によりスピーカ４１から音声を出力させる。例えば、目的地に到達するまでの情報として交差点の手前で進路方向の注意を促す音声を出力、あるいは、ユーザがカーナビゲーション装置１に対して対話形式により入力を行うときに、ユーザに操作入力の音声指示を出力する。更に、音声出力部４０は、カーナビゲーション装置１がオーディオ機能を実行するとき、楽曲を出力する。
【００３９】
表示制御部５０は、ディスプレイ５１に接続され、制御部９０の制御下において、記憶装置７０又はデータメモリ６１から読み出されたデータに基づき、ディスプレイ５１に地図を表示、あるいは地図上に、車両の現在位置を示す車両マーク、目的地までの経路、交差点等の分岐点での案内表示及び施設のランドマーク等を合成させる。更に、ユーザによって操作パネル２０等から入力された指示や操作に関する情報が地図上にあるいはそれとは別の画面上に表示される。表示制御部５０は、好ましくはＦＩＦＯ等のＶＲＡＭを含み、記憶装置７０やデータメモリ６１から読み出された地図、道路、案内表示に関するデータをＶＲＡＭに記憶し、ＶＲＡＭから読み出された地図データに各種データを合成させる。ディスプレイ５１は、例えば、液晶やプラズマを用いた横長のワイド画面であり、表示制御部５０の制御下において、２画面表示をすることも可能である。
【００４０】
プログラムメモリ６０は、カーナビゲーション装置１において実行される各種プログラムを記憶し、これらのプログラムは制御部９０によって実行される。プログラムメモリ６０は、例えば書き換え可能なＲＡＭを用いて構成され、記憶装置７０に記憶されたプログラムを読み出すようにしても良い。あるいは、予めプログラムを記憶したＲＯＭを用いることもできる。プログラムの内容は、例えば、目的地までの経路を探索するプログラム、ディスプレイ５１上に表示される地図の設定・変更を行うプログラム、及び実施の形態１に係る施設の選択処理等を行うプログラム等を含む。
【００４１】
データメモリ６１は、制御部９０によって処理された各種演算の処理結果や記憶装置７０から読み出された地図のデータ等を記憶する。更に、データメモリ６１は、制御部９０により目的地までの経路の探索処理が行われたとき、その探索された誘導経路データ、ＶＩＣＳ・ＦＭ多重レシーバ１２から受信した道路交通情報を記憶する。データメモリ６１は、ＤＲＡＭ、ＳＲＡＭ、フラッシュメモリ等を用いることができる。カーナビゲーション装置１の使用後に、データメモリ６１の内容を記憶装置７０に転送するようにしても良い。また、カーナビゲーション装置１に装着可能な外部メモリ６２をデータメモリ６１と併用するものであっても良い。
【００４２】
図４は、検索方法一覧の表示に係る制御部９０の処理手順を示すフローチャート、図５は、ディスプレイ５１に表示された検索方法一覧の一例を示す模式図である。制御部９０は、操作パネル２０又は操作キー５２の操作状態を監視することによって、操作パネル２０又は操作キー５２から目的地の検索を開始するための操作信号を受信したか否かを判定する（ステップＳ１１）。目的地の検索を開始するための操作信号を受信していないと判定した場合（ステップＳ１１：ＮＯ）、制御部９０は、処理を終える。
【００４３】
目的地の検索を開始するための操作信号を受信したと判定した場合（ステップＳ１１：ＹＥＳ）、制御部９０は、助手席用同乗者検出部８０から出力された同乗者信号を受信する（ステップＳ１２）。そして、制御部９０は、受信した同乗者信号に基づいて、同乗者の有無を判定する（ステップＳ１３）。なお、ステップＳ１２の処理によって、制御部９０は取得手段として機能する。
【００４４】
同乗者が無いと判定した場合（ステップＳ１３：ＮＯ）、制御部９０は、検索方法配列テーブル７５から運転者用検索方法配列情報を選択し、該運転者用検索方法配列情報にて、図５（ａ）に示すような運転者用の検索方法一覧を生成する（ステップＳ１４）。
【００４５】
ステップＳ１４の処理によって、図５（ａ）中、左側に示すように、縦横に２個ずつ並置された４個の矩形状のブロックと、「次へ」ボタンを有する画像が生成される。左上のブロックには、同乗者が無い場合の配列順序１の検索方法が表示される。同様にして左下、右上、右下のブロックには、同乗者が無い場合の配列順序２，３，４の検索方法が表示される。例えば、図２に示す検索方法配列テーブル７５を記憶している場合、左上、左下、右上、右下のブロックには、夫々「ジャンル検索」、「周辺検索」、「電話番号検索」、「５０音検索」の検索方法が表示される。
同様に、図５（ａ）中、右側に示すように、縦横に２個ずつ並置された４個の矩形状のブロックと、「戻る」ボタンを有する画像が生成される。各画像は「次へ」ボタン、「戻る」ボタンを操作することによって、相互に切り替えられる画像である。図５（ａ）の右側における左上のブロックには配列順序５の「ハイウェイ検索」、左下のブロックには配列順序６の「履歴検索」が表示されている。
【００４６】
そして、制御部９０は、生成された運転者用の検索方法一覧、例えば図５（ａ）中、左側又は右側の画像をディスプレイ５１に表示し（ステップＳ１５）、処理を終える。
【００４７】
ユーザは、ディスプレイ５１に表示された検索方法のブロックを操作パネル２０にて操作することにより、検索方法を選択し、選択された検索方法を用いて目的地を検索することができる。例えば、目的地の電話番号をユーザが知っている場合、「電話番号」の検索方法を選択し、電話番号を入力することにより、該電話番号を有する目的地を地図上にマークすることができる。
【００４８】
ステップＳ１３で同乗者があると判定した場合（ステップＳ１３：ＹＥＳ）、制御部９０は、検索方法配列テーブル７５から同乗者用検索方法配列情報を選択し、該同乗者用検索方法配列情報にて図５（ｂ）に示すような同乗者用の検索方法一覧を生成する（ステップＳ１６）。
【００４９】
ステップＳ１６の処理によって、図５（ｂ）に示すように、縦横に２個ずつ並置された４個の矩形状のブロックを有する画像が生成される。左上、左下、右上のブロックには、同乗者がある場合の配列順序１，２，３の検索方法が夫々表示される。例えば、図２に示す検索方法配列テーブル７５を用いた場合、同乗者がある場合における配列順序１の「電話番号検索」が表示され、左下のブロックには配列順序２の「５０音検索」が表示される。右上のブロックには配列順序３の「ジャンル検索」が表示される。
【００５０】
そして、制御部９０は、生成された同乗者用の検索方法一覧をディスプレイ５１に表示し（ステップＳ１７）、処理を終える。
【００５１】
なお、ステップＳ１４及びステップＳ１６の処理によって、制御部９０は、選択手段及び一覧生成手段として機能する。
【００５２】
図４の処理を実行することにより、同乗者の有無に応じた検索方法一覧を表示することができ、カーナビゲーション装置１の利便性を向上させることができる。例えば、同乗者がある場合、プライバシーの観点から表示したくない「履歴検索」のような検索方法を表示しないようにすることができ、同乗者が無い場合にのみ「履歴検索」を表示することができる。
【００５３】
図６は、ジャンル一覧の表示に係る制御部９０の処理手順を示すフローチャート、図７は、ディスプレイ５１に表示されたジャンル一覧の一例を示す模式図である。制御部９０は、操作パネル２０の操作状態を監視することによって、検索方法一覧から「ジャンル検索」が選択されたか否かを判定する（ステップＳ３１）。ジャンル検索が選択されていないと判定した場合（ステップＳ３１：ＮＯ）、制御部９０は、処理を終える。
【００５４】
ジャンル検索が選択されたと判定した場合（ステップＳ３１：ＹＥＳ）、制御部９０は、助手席用同乗者検出部８０から出力された同乗者信号を受信する（ステップＳ３２）。そして、制御部９０は、受信した同乗者信号に基づいて、同乗者の有無を判定する（ステップＳ３３）。
【００５５】
同乗者が無いと判定した場合（ステップＳ３３：ＮＯ）、制御部９０は、ジャンル配列テーブル７６から運転者用ジャンル配列情報を選択し、該運転者用ジャンル配列情報にて図７（ａ）に示すような運転者用のジャンル一覧を生成する（ステップＳ３４）。
【００５６】
ステップＳ３４の処理によって、図７（ａ）に示すように上下方向に配列されたジャンルの一覧と、「戻る」ボタン、「終了」ボタン、スクロールバー等を含む画像が生成される。各ジャンルは上方から下方へ昇順に配列されている。具体的には、同乗者が無い場合における配列順序１の「ガソリンスタンド」、配列順序２の「お店」、配列順序３の「登録リスト」、配列順序４の「風俗店」、配列順序５の「観光スポット」等が上方から下方へ配列される。
【００５７】
そして、制御部９０は、生成された運転者用のジャンル一覧をディスプレイ５１に表示し（ステップＳ３５）、処理を終える。
【００５８】
ユーザは、図７に示すようにディスプレイ５１に表示された目的地の種別を操作パネル２０で選択することによって、該種別に属する目的地を表示させ、目的地を検索及び設定することができる。なお、目的地のジャンルを階層的に構成し、ジャンルを順次選択することによって目的地を検索することも可能である。上層のジャンルにおける配列の有無、配列順序を変更する場合を主に説明したが、言うまでもなく、下層のジャンルに対してもジャンル配列テーブル７６を用意し、同乗者の有無に応じてジャンルの配列を変更するように構成しても良い。
【００５９】
ステップＳ３３で同乗者があると判定した場合（ステップＳ３３：ＹＥＳ）、制御部９０は、ジャンル配列テーブル７６から同乗者用ジャンル配列情報を選択し、該同乗者用ジャンル配列情報にて図７（ｂ）に示すような同乗者用のジャンル一覧を生成する（ステップＳ３６）。
【００６０】
ステップＳ３６の処理によって、図７（ｂ）に示すように、上下方向に配列されたジャンルの一覧と、「戻る」ボタン、「終了」ボタン、スクロールバー等を含む画像が生成される。各ジャンルは上方から下方へ昇順に配列されている。具体的には、同乗者がある場合における配列順序１のカードライブ、配列順序２の観光スポット、配列順序３のお店、配列順序４のガソリンスタンド、配列順序５の食べる・飲む等が上方から下方へ配列される。
【００６１】
そして、制御部９０は、生成された同乗者用のジャンル一覧をディスプレイ５１に表示し（ステップＳ３７）、処理を終える。
【００６２】
図６の処理を実行することにより、同乗者の有無に応じた検索方法一覧を表示することができ、カーナビゲーション装置１の利便性を向上させることができる。例えば、同乗者がある場合、プライバシーの観点から表示したくない「履歴検索」、「風俗店」のような検索方法を表示しないようにすることができ、同乗者が無い場合にのみ「履歴検索」、「風俗店」を表示することができる。
【００６３】
実施の形態１に係る目的地検索方法及びカーナビゲーション装置１にあっては、同乗者の有無に応じて一覧表示するジャンルを取捨選択し、ジャンルの配列順序を変更することができ、同乗者の有無に応じた利便性の高いジャンル検索一覧を表示することができる。
【００６４】
また、同乗者の有無に応じて一覧表示する検索方法を取捨選択し、検索方法の配列順序を変更することができ、同乗者の有無に応じた利便性の高い検索方法一覧を表示することができる。
【００６５】
更に、検索方法配列テーブル７５、ジャンル配列テーブル７６に基づいて検索方法一覧及びジャンル一覧を生成するため、同乗者の有無に応じた一覧を全て記憶装置７０に記憶させる必要が無く、記憶装置７０の容量を小さく構成し、低コストで構成することができる。
【００６６】
なお、実施の形態１にあっては、同乗者の有無に応じて検索方法一覧、ジャンル一覧の配列方法を変更するように構成してあるが、同乗者の有無に応じて検索方法一覧のみを変更し、又はジャンル一覧のみを変更するように構成しても良い。
【００６７】
また、同乗者の有無に応じて検索方法及びジャンルを取捨選択しているが、利便性に問題が無ければ同乗者の有無に応じて検索方法又はジャンルの配列順序のみを変更するように構成しても良い。
【００６８】
更に、同乗者の有無に応じて検索方法及びジャンルの配列順序を変更しているが、利便性に問題が無ければ同乗者の有無に応じて検索方法又はジャンルの取捨選択のみを行うように構成しても良い。
【００６９】
更にまた、実施の形態１では運転者用ジャンル配列情報と、同乗者用ジャンル配列情報とを一のファイルとして記憶装置７０が記憶しているが、各情報の記憶方法はこれに限定されず、複数のファイルで各別に記憶するように構成しても良い。
【００７０】
更にまた、目的地を分類するジャンルとして、お店、観光スポット等を例示したが、目的地を分類することができるのであれば目的地を分類する種別はこれに限定されない。例えば、目的地の開店時間、予算等で分類するように構成しても良い。
【００７１】
更にまた、助手席用同乗者検出部８０は、シートベルトの着脱によって同乗者の有無を検出するように構成してあるが、赤外線センサ、重量センサ等で同乗者の有無を検出するように構成しても良い。赤外線センサ、重量センサを使用した場合、同乗者がシートベルトを装着していない場合であっても、同乗者の有無を正確に検出することができるため、利便性の高い検索方法一覧、ジャンル一覧を誤り無く表示することができる。
【００７２】
（実施の形態２）
図８は、本発明の実施の形態２に係るカーナビゲーション装置２０１のハードウェア構成を示すブロック図である。実施の形態２に係るカーナビゲーション装置２０１は、実施の形態１に係るカーナビゲーション装置１と同様の構成である。重量センサ８２を備えており、制御部９０の処理手順のみが異なるため、以下では主に上記相違点を説明する。
【００７３】
重量センサ８２は、例えば助手席のシートに配された圧電素子、増幅器等を備えており、圧電素子に加わった圧力に応じたアナログ又はデジタルの重量信号を入力インタフェース８１を介して出力するように構成されている。重量センサ８２から出力された重量信号は入力インタフェース８１を介して制御部９０に入力される。なお、重量センサ８２として圧電素子を例示したが、あくまで一例であり、他の方法で重量を検出するように構成しても良い。例えば、所定重量が加わった場合に入になり、所定重量未満の重量が加わった場合に切になるスイッチ等で構成しても良い。
【００７４】
図９は、実施の形態２におけるジャンル配列テーブル７６のレコードレイアウトを示す説明図である。ジャンル配列テーブル７６は、同乗者の有無及び同乗者が大人であるか子供であるかに応じて一覧表示するジャンルを取捨選択し、特定の順序で配列するための情報である。例えば、ジャンル番号と、一のジャンルと、同乗者が無い場合における前記ジャンルの配列の要否又は配列順序と、大人の同乗者がある場合における前記ジャンルの配列の要否又は配列順序と、子供の同乗者がある場合における配列の要否又は配列順序とを対応付けたテーブルである。
以下、同乗者が無い場合におけるジャンルの配列の要否又は配列順序を示す情報を運転者用ジャンル配列情報、大人の同乗者がある場合における前記ジャンルの配列の要否又は配列順序を示す情報を同乗者・大人用ジャンル配列情報、子供の同乗者がある場合における前記ジャンルの配列の要否又は配列順序を示す情報を同乗者・子供用ジャンル配列情報という。
【００７５】
より具体的には、ジャンル番号１と、一のジャンルである「ガソリンスタンド」と、同乗者が無い場合の配列順序１と、大人の同乗者がある場合の配列順序４と、子供の同乗者がある場合の配列順序４とが対応付けられている。他のジャンル番号２，３，４，５，６，・・・，１０についても同様である。
【００７６】
図１０及び図１１は、実施の形態２におけるジャンル一覧の表示に係る制御部９０の処理手順を示すフローチャート、図１２は、ディスプレイ５１に表示されたジャンル一覧の一例を示す模式図である。制御部９０は、操作パネル２０の操作状態を監視することによって、検索方法一覧からジャンル検索が選択されたか否かを判定する（ステップＳ５１）。ジャンル検索が選択されていないと判定した場合（ステップＳ５１：ＮＯ）、制御部９０は、処理を終える。
【００７７】
ジャンル検索が選択されたと判定した場合（ステップＳ５１：ＹＥＳ）、制御部９０は、助手席用同乗者検出部８０から出力された同乗者信号を受信し（ステップＳ５２）、重量センサ８２から出力された重量信号を受信する（ステップＳ５３）。
【００７８】
そして、制御部９０は、受信した同乗者信号に基づいて、同乗者の有無を判定する（ステップＳ５４）。
【００７９】
同乗者が無いと判定した場合（ステップＳ５４：ＮＯ）、制御部９０は、ジャンル配列テーブル７６から運転者用ジャンル配列情報を選択し、該運転者用ジャンル配列情報にて図７（ａ）に示すような運転者用のジャンル一覧を生成する（ステップＳ５５）。そして、制御部９０は、生成された運転者用のジャンル一覧をディスプレイ５１に表示し（ステップＳ５６）、処理を終える。
【００８０】
ステップＳ５４で同乗者があると判定した場合（ステップＳ５４：ＹＥＳ）、制御部９０は、重量信号に基づいて同乗者が子供であるか否かを判定する（ステップＳ５７）。例えば、重量信号のレベルが閾値以上であるか否かによって、同乗者が大人であるか否かを判定する。
【００８１】
同乗者が大人であると判定した場合（ステップＳ５７：ＮＯ）、制御部９０は、ジャンル配列テーブル７６から同乗者・大人用ジャンル配列情報を選択し、該同乗者・大人用ジャンル配列情報にて図１２（ａ）に示すような大人の同乗者用のジャンル一覧を生成する（ステップＳ５８）。
【００８２】
ステップＳ５８の処理によって、図１２（ａ）に示すように、「カードライブ」、「観光スポット」、「お店」、「ガソリンスタンド」、「食べる・飲む」等のジャンルが上方から下方へ順に配列される。
【００８３】
そして、制御部９０は、生成された大人の同乗者用のジャンル一覧をディスプレイ５１に表示し（ステップＳ５９）、処理を終える。
【００８４】
同乗者が子供であると判定した場合（ステップＳ５７：ＹＥＳ）、制御部９０は、ジャンル配列テーブル７６から同乗者・子供用ジャンル配列情報を選択し、該同乗者・子供用ジャンル配列情報にて図１２（ｂ）に示すような子供の同乗者用のジャンル一覧を生成する（ステップＳ６０）。
【００８５】
ステップＳ６０の処理によって、図１２（ｂ）に示すように、「遊ぶ・見る」、「お店」、「食べる・飲む」、「ガソリンスタンド」、「その他」等のジャンルが上方から下方へ順に配列される。
【００８６】
そして、制御部９０は、生成された子供の同乗者用のジャンル一覧をディスプレイ５１に表示し（ステップＳ６１）、処理を終える。
【００８７】
実施の形態２に係る目的地検索方法及びカーナビゲーション装置２０１にあっては、同乗者の有無及び大人であるか子供であるかに応じて一覧表示するジャンルを取捨選択、又はジャンルの配列順序を変更することができ、利便性の高いジャンル一覧を表示することができる。
【００８８】
なお、実施の形態２ではジャンル一覧を同乗者の有無、同乗者の大人及び子供の別に応じて変更する構成を示しているが、同様にして検索方法一覧を変更するように構成しても良い。
【００８９】
また、重量によって大人、子供の別を判別するように構成してあるが、必要であれば重量に応じて一覧表示するジャンル一覧を更に細分化しても良い。
【００９０】
実施の形態２に係る目的地検索方法及びカーナビゲーション装置２０１の他の構成、作用及び効果は、実施の形態１に係る目的地検索方法及びカーナビゲーション装置１の構成、作用及び効果と同様であるため、対応する箇所には同様の符号を付して詳細な説明を省略する。
【００９１】
（実施の形態３）
図１３は、本発明の実施の形態３に係るカーナビゲーション装置３０１のハードウェア構成を示すブロック図である。実施の形態３に係るカーナビゲーション装置３０１は、実施の形態１に係るカーナビゲーション装置１と同様の構成である。後部座席用同乗者検出部８３を備えており、制御部９０の処理手順のみが異なるため、以下では主に上記相違点を説明する。
【００９２】
後部座席用同乗者検出部８３は、助手席同様、シートベルトの着脱を検出するセンサを備えており、シートベルトバックルにシートベルトタングが差し込まれている場合、後部座席に同乗者があることを示す同乗者信号、例えばハイレベルの信号を入力インタフェース８１を介して制御部９０に与え、シートベルトバックルからシートベルトタングが外れている場合、後部座席の同乗者が無いことを示す同乗者信号、例えばローレベルの信号を入力インタフェース８１を介して制御部９０に与える。なお、後部座席のシートベルトの装着率が悪いことに鑑みて、圧力センサ、赤外線センサ等を用いて、後部座席の同乗者の有無を示す同乗者信号を出力するように構成しても良い。
【００９３】
図１４は、実施の形態３におけるジャンル配列テーブル７６のレコードレイアウトを示す説明図である。ジャンル配列テーブル７６は、同乗者の有無及び同乗者の人数に応じて一覧表示するジャンルを取捨選択し、特定の順序で配列するための情報である。例えば、ジャンル番号と、一のジャンルと、同乗者が無い場合における前記ジャンルの配列の要否又は配列順序と、一人の同乗者がある場合における前記ジャンルの配列の要否又は配列順序と、複数の同乗者がある場合における配列の要否又は配列順序とを対応付けたテーブルである。
以下、同乗者が無い場合におけるジャンルの配列の要否又は配列順序を示す情報を運転者用ジャンル配列情報、一人の同乗者がある場合における前記ジャンルの配列の要否又は配列順序を示す情報を同乗者一人用ジャンル配列情報、複数の同乗者がある場合における前記ジャンルの配列の要否又は配列順序を示す情報を家族用ジャンル配列情報という。
【００９４】
より具体的には、ジャンル番号１と、一のジャンルであるガソリンスタンドと、同乗者が無い場合の配列順序１と、一人の同乗者がある場合の配列順序４と、複数の同乗者がある場合における配列順序５とが対応付けられている。他のジャンル番号２，３，４，５，６，・・・，１０についても同様である。
【００９５】
図１５及び図１６は、実施の形態３におけるジャンル一覧の表示に係る制御部９０の処理手順を示すフローチャート、図１７は、ディスプレイ５１に表示されたジャンル一覧の一例を示す模式図である。制御部９０は、操作パネル２０の操作状態を監視することによって、検索方法一覧からジャンル検索が選択されたか否かを判定する（ステップＳ７１）。ジャンル検索が選択されていないと判定した場合（ステップＳ７１：ＮＯ）、制御部９０は、処理を終える。
【００９６】
ジャンル検索が選択されたと判定した場合（ステップＳ７１：ＹＥＳ）、制御部９０は、助手席用同乗者検出部８０から出力された同乗者信号を受信し（ステップＳ７２）、後部座席用同乗者検出部８３から出力された同乗者信号を受信する（ステップＳ７３）。
【００９７】
そして、制御部９０は、受信した同乗者信号に基づいて、同乗者の有無を判定する（ステップＳ７４）。
【００９８】
同乗者が無いと判定した場合（ステップＳ７４：ＮＯ）、制御部９０は、ジャンル配列テーブル７６から運転者用ジャンル配列情報を選択し、該運転者用ジャンル配列情報にて図７（ａ）に示すような運転者用の目的地のジャンル一覧を生成する（ステップＳ７５）。そして、制御部９０は、生成された運転者用のジャンル一覧をディスプレイ５１に表示し（ステップＳ７６）、処理を終える。
【００９９】
ステップＳ７６で同乗者があると判定した場合（ステップＳ７４：ＹＥＳ）、制御部９０は、後部座席用同乗者検出部８３から与えられた同乗者信号に基づいて、同乗者が複数であるか否かを判定する（ステップＳ７７）。
【０１００】
同乗者が複数でないと判定した場合（ステップＳ７７：ＮＯ）、制御部９０は、ジャンル配列テーブル７６から同乗者一人用ジャンル配列情報を選択し、該同乗者一人用ジャンル配列情報にて図１７（ａ）に示すような同乗者一人用のジャンル一覧を生成する（ステップＳ７８）。
【０１０１】
ステップＳ７８の処理によって、図１７（ａ）に示すように、「カードライブ」、「観光スポット」、「お店」、「ガソリンスタンド」、「食べる・飲む」等のジャンルが上方から下方へ順に配列される。
【０１０２】
そして、制御部９０は、生成された助手席用のジャンル一覧をディスプレイ５１に表示し（ステップＳ７９）、処理を終える。
【０１０３】
同乗者が複数であると判定した場合（ステップＳ７７：ＹＥＳ）、制御部９０は、ジャンル配列テーブル７６から家族用ジャンル配列情報を選択し、該家族用ジャンル配列情報にて図１７（ｂ）に示すような同乗者が複数である家族用のジャンル一覧を生成する（ステップＳ８０）。
【０１０４】
ステップＳ８０の処理によって、図１７（ｂ）に示すように、「観光スポット」、「遊ぶ・見る」、「お店」、「ガソリンスタンド」等が上方から下方へ順に配列される。
【０１０５】
そして、制御部９０は、生成された家族用のジャンル一覧をディスプレイ５１に表示し（ステップＳ８１）、処理を終える。
【０１０６】
実施の形態３に係る目的地検索方法及びカーナビゲーション装置３０１にあっては、同乗者の有無及び同乗者が複数であるか否かに応じて、一覧表示するジャンルを取捨選択、又はジャンルの配列順序を変更することができ、利便性の高いジャンル一覧を表示することができる。
【０１０７】
実施の形態３に係る目的地検索方法及びカーナビゲーション装置３０１にあっては、同乗者の有無、及び同乗者が複数であるか否かに応じて一覧表示するジャンルを取捨選択し、ジャンルの配列順序を変更することができ、利便性の高い目的地のジャンル一覧を表示することができる。
【０１０８】
実施の形態３に係る目的地検索方法及びカーナビゲーション装置３０１の他の構成、作用及び効果は、実施の形態１に係る目的地検索方法及びカーナビゲーション装置１の構成、作用及び効果と同様であるため、対応する箇所には同様の符号を付して詳細な説明を省略する。
【０１０９】
（実施の形態４）
図１８は、実施の形態４に係るカーナビゲーション装置４０１のハードウェア構成を示すブロック図である。実施の形態４に係るカーナビゲーション装置４０１は、実施の形態１乃至３で説明した、助手席用同乗者検出部８０、重量センサ８２、及び後部座席用同乗者検出部８３を備えている。
【０１１０】
図１８に示す記録媒体１Ａ（ＣＤ−ＲＯＭ、ＤＶＤ−ＲＯＭ又はメモリーカード等）は、本発明の実施の形態１〜３に係るナビゲーション装置１の機能を実現するためのコンピュータプログラム、検索方法配列テーブル７５及びジャンル配列テーブル７６等をコンピュータ読み取り可能に記録している。該コンピュータプログラムは、カーナビゲーション装置４０１に実装されたコンピュータに、同乗者の有無に応じて各種検索方法配列情報、ジャンル配列情報を選択するステップと、選択された検索方法配列情報に基づいて検索方法を配列した一覧を生成するステップと、選択されたジャンル配列情報に基づいてジャンルを配列した一覧を生成するステップとを実行させる。記録媒体１Ａに記録されたコンピュータプログラム、各種情報は、図示しない記録媒体読み取り機に挿入された記録媒体１Ａから記憶装置７０へインストールされる。カーナビゲーション装置４０１を構成するコンピュータは、前記コンピュータプログラムをプログラムメモリ６０に読み出して実行することにより、実施の形態１乃至３に係るカーナビゲーション装置４０１の機能を実現する。
また、通信制御部３０と図示しないサーバコンピュータとの間で通信を確立し、係るコンピュータプログラムを記憶装置７０へダウンロードし、このダウンロードしたコンピュータプログラムをプログラムメモリ６０上に読み出して実行するように構成しても良い。
【０１１１】
実施の形態４に係るカーナビゲーション装置４０１の他の構成、作用及び効果は、実施の形態１乃至３に係る目的地検索方法及びカーナビゲーション装置１，２０１，３０１の構成、作用及び効果と同様であるため、対応する箇所には同様の符号を付して詳細な説明を省略する。
【図面の簡単な説明】
【０１１２】
【図１】本発明の実施の形態１に係るカーナビゲーション装置のハードウェア構成を示すブロック図である。
【図２】検索方法配列テーブルのレコードレイアウトを示す説明図である。
【図３】ジャンル配列テーブルのレコードレイアウトを示す説明図である。
【図４】検索方法一覧の表示に係る制御部の処理手順を示すフローチャートである。
【図５】ディスプレイに表示された検索方法一覧の一例を示す模式図である。
【図６】ジャンル一覧の表示に係る制御部の処理手順を示すフローチャートである。
【図７】ディスプレイに表示されたジャンル一覧の一例を示す模式図である。
【図８】本発明の実施の形態２に係るカーナビゲーション装置のハードウェア構成を示すブロック図である。
【図９】実施の形態２におけるジャンル配列テーブルのレコードレイアウトを示す説明図である。
【図１０】実施の形態２におけるジャンル一覧の表示に係る制御部の処理手順を示すフローチャートである。
【図１１】実施の形態２におけるジャンル一覧の表示に係る制御部の処理手順を示すフローチャートである。
【図１２】ディスプレイに表示されたジャンル一覧の一例を示す模式図である。
【図１３】本発明の実施の形態３に係るカーナビゲーション装置のハードウェア構成を示すブロック図である。
【図１４】実施の形態３におけるジャンル配列テーブルのレコードレイアウトを示す説明図である。
【図１５】実施の形態３におけるジャンル一覧の表示に係る制御部の処理手順を示すフローチャートである。
【図１６】実施の形態３におけるジャンル一覧の表示に係る制御部の処理手順を示すフローチャートである。
【図１７】ディスプレイに表示されたジャンル一覧の一例を示す模式図である。
【図１８】実施の形態４に係るカーナビゲーション装置のハードウェア構成を示すブロック図である。
【図１９】従来のカーナビゲーション装置における検索方法のイメージを示す説明図である。
【符号の説明】
【０１１３】
１，２０，３０１，４０１    ナビゲーション装置
１０    ＧＰＳ受信機
１１    自立航法用センサ
１２    ＶＩＣＳ・ＦＭ多重レシーバ
２０    操作パネル
２１    音声入力部
２２    リモコン
２３    入力インタフェース
７５    検索方法配列テーブル
７６    ジャンル配列テーブル
４０    音声出力部
４１    スピーカ
５０    表示制御部
５１    ディスプレイ
６０    プログラムメモリ
６１    データメモリ
６２    外部メモリ
７０    記憶装置
８０    助手席用同乗者検出部
８１    入力インタフェース
８２    重量センサ
８３    後部座席用同乗者検出部
９０    制御部
１Ａ    記録媒体
【図１】
2008241348.tif 000003
【図２】
2008241348.tif 000004
【図３】
2008241348.tif 000005
【図４】
2008241348.tif 000006
【図５】
2008241348.tif 000007
【図６】
2008241348.tif 000008
【図７】
2008241348.tif 000009
【図８】
2008241348.tif 000010
【図９】
2008241348.tif 000011
【図１０】
2008241348.tif 000012
【図１１】
2008241348.tif 000013
【図１２】
2008241348.tif 000014
【図１３】
2008241348.tif 000015
【図１４】
2008241348.tif 000016
【図１５】
2008241348.tif 000017
【図１６】
2008241348.tif 000018
【図１７】
2008241348.tif 000019
【図１８】
2008241348.tif 000020
【図１９】
2008241348.tif 000021